(57)【要約】【課題】  複数の求人広告会社を通じて求人を行う場合に、求人広告会社毎に、応募や採用の数を容易に把握できる求人媒体管理プログラムを提供する。【解決手段】  広告管理画面７１は、求人媒体を選択する求人媒体選択欄７３と、選択された求人媒体に関する広告成果を表示する広告成果表示欄７５とを有する。広告成果表示欄７５は、求人媒体選択欄７３で選択された求人媒体について広告金額、応募期間、現在応募件数及び現在採用件数を表示する。広告成果表示欄７５は、上記選択された求人媒体について、当該求人媒体を介した応募の応募単価、面接実施単価、採用単価、及び前記入社単価をグラフ表示する。【選択図】図４
2019159580.tif 000002
【特許請求の範囲】
【請求項１】
複数の求人媒体を介して受けた求職者からの応募及び採用を求人媒体毎に管理する求人媒体管理プログラムであって、
前記求人媒体を選択する求人媒体選択欄と、
前記求人媒体選択欄で選択された求人媒体について広告金額、応募期間、現在応募件数及び現在採用件数と
を含む広告管理画面を表示する表示工程
をコンピュータに実行させる求人媒体管理プログラム。
【請求項２】
前記広告金額を前記現在応募件数で除算して応募単価を算出する応募単価算出工程と、
前記広告金額を前記現在採用件数で除算して採用単価を算出する採用単価算出工程と
をさらに有し、
前記表示工程は、前記応募単価及び前記採用単価を前記広告管理画面に表示する
請求項１に記載の求人媒体管理プログラム。
【請求項３】
前記求人媒体を介した応募を受けると、当該応募をした求職者について、当該求職者の個人情報と、募集属性と、応募及び採用の状態を示すステータス情報とを含む登録データを生成する登録工程と、
前記求職者についての採用プロセスの進行に従って前記登録データの前記ステータス情報を更新するステータス更新工程と
をさらに有し、
前記表示工程、前記応募単価算出工程及び前記採用単価算出工程は、前記登録データの前記ステータス情報を用いて前記算出を行う
請求項２に記載の求人媒体管理プログラム。
【請求項４】
前記登録データは、前記求職者について、応募、面接実施、採用及び入社の状態を示す前記ステータス情報を含む
請求項３に記載の求人媒体管理プログラム。
【請求項５】
前記広告金額を現在面接実施件数で除算して面接実施単価を算出する面接実施単価算出工程と、
前記広告金額を現在入社件数で除算して入社単価を算出する入社単価算出工程と
をさらに有し、
前記表示工程は、
前記応募単価、前記採用単価、前記面接実施単価及び前記入社単価を表示するグラフ画像を含む前記広告管理画面を表示する
請求項２〜４のいずれかに記載の求人媒体管理プログラム。
【請求項６】
前記複数の求人媒体について算出した前記応募単価及び採用単価を基に、基準応募単価及び基準採用単価をそれぞれ計算し、
前記表示工程は、前記基準応募単価及び前記基準採用単価と比較して所定の条件を満たす前記応募単価及び前記採用単価を識別可能な表示を行う
請求項２〜４のいずれかに記載の求人媒体管理プログラム。
【請求項７】
面接内容を面接結果として記録し、一元管理する第１の工程と、
前記第１の工程で一元管理された面接結果を、指定された属性を基に検索する第２の工程と、
前記第２の工程で検索された前記面接結果を表示する第３の工程と
を前記コンピュータにさらに実行させ、
前記面接結果は、予め決められた複数の評価属性の各々についての点数を示し、
前記求職者の各々について、当該求職者の前記面接結果の前記複数の評価属性の点数の平均を算出する第４の工程
をさらに有し、
前記第３の工程は、
前記検索された求職者の面接結果として、採用、不採用、面接予約、２次面接及び保留を示す面接ステータス属性を表示し、
前記検索された複数の求職者の名前、年齢、性別、前記面接ステータス属性を示す第１の表示欄と、前記第１の表示欄で指定された前記求職者の前記面接結果の詳細である評価シートと、ステータス更新操作ボタンとを含む第２の表示欄とを表示し、
前記評価シートに、前記検索された求職者について前記第４の工程で算出された前記平均を表示する
請求項１に記載の求人媒体管理プログラム。
【請求項８】
複数の求人媒体を介して受けた求職者からの応募及び採用を求人媒体毎に管理する求人媒体管理装置であって、
前記求人媒体を選択する求人媒体選択欄と、
前記求人媒体選択欄で選択された求人媒体について広告金額、応募期間、現在応募件数及び現在採用件数と
を含む広告管理画面を表示する表示工程
を実行する求人媒体管理装置。
【発明の詳細な説明】
【技術分野】
【０００１】
本発明は、複数の求人広告会社を介して受けた応募及び採用を広告会社毎に管理する求人媒体管理プログラムおよびその装置に関する。
【背景技術】
【０００２】
近年、学生等のアルバイトや正社員の募集を行う企業は、通常、複数の求人媒体（求人広告会社等）に登録をし、当該求人媒体を通じて応募を受ける。ところで、人材を募集する企業は、複数の求人媒体に登録している場合に、各々の求人媒体を通じた応募や採用がどの程度あるかを把握したいという要請がある。
また、人材の採用は、求職者からの応募、面接、採用決定等の工程（手順）で行われるが、それぞれの工程のステージを得るまでに、どの程度の求人費用を要したかを把握したいという要請がある。
【先行技術文献】
【特許文献】
【０００３】
【特許文献１】特開２０１０−２８２３８９号公報
【発明の概要】
【発明が解決しようとする課題】
【０００４】
本発明はかかる事情に鑑みてなされたものであり、その目的は、複数の求人媒体を通じて求人を行う場合に、求人媒体毎に、応募や採用の数を容易に把握できる求人媒体管理プログラムおよびその装置を提供することを目的とする。
また、本発明は、複数の求人媒体毎に、求職者からの応募、面接、採用等のステージを得るまでに、どの程度の求人費用を要したかを容易に把握できる求人媒体管理プログラムおよびその装置を提供することを目的とする。
【課題を解決するための手段】
【０００５】
上述した目的を達成するために、本発明の求人媒体管理プログラムは、複数の求人媒体を介して受けた求職者からの応募及び採用を求人媒体毎に管理する求人媒体管理プログラムであって、前記求人媒体を選択する求人媒体選択欄と、前記求人媒体選択欄で選択された求人媒体について広告金額、応募期間、現在応募件数及び現在採用件数とを含む広告管理画面を表示する表示工程をコンピュータに実行させる。
【０００６】
好適には、前記広告金額を前記現在応募件数で除算して応募単価を算出する応募単価算出工程と、前記広告金額を前記現在採用件数で除算して採用単価を算出する採用単価算出工程とをさらに有し、前記表示工程は、前記応募単価及び前記採用単価を前記広告管理画面に表示する。
【０００７】
好適には、前記求人媒体を介した応募を受けると、当該応募をした求職者について、当該求職者の個人情報と、募集属性と、応募及び採用の状態を示すステータス情報とを含む登録データを生成する登録工程と、前記求職者についての採用プロセスの進行に従って前記登録データの前記ステータス情報を更新するステータス更新工程とをさらに有し、前記表示工程、前記応募単価算出工程及び前記採用単価算出工程は、前記登録データの前記ステータス情報を用いて前記算出を行う。
【０００８】
好適には、前記登録データは、前記求職者について、応募、面接実施、採用及び入社の状態を示す前記ステータス情報を含む。
【０００９】
好適には、前記広告金額を現在面接実施件数で除算して面接実施単価を算出する面接実施単価算出工程と、前記広告金額を現在入社件数で除算して入社単価を算出する入社単価算出工程とをさらに有し、前記表示工程は、前記応募単価、前記採用単価、前記面接実施単価及び前記入社単価を表示するグラフ画像を含む前記広告管理画面を表示する。
【００１０】
好適には、前記複数の求人媒体について算出した前記応募単価及び採用単価を基に、基準応募単価及び基準採用単価をそれぞれ計算し、前記表示工程は、前記基準応募単価及び前記基準採用単価と比較して所定の条件を満たす前記応募単価及び前記採用単価を識別可能な表示を行う。
【００１１】
好適には、面接内容を面接結果として記録し、一元管理する第１の工程と、前記第１の工程で一元管理された面接結果を、指定された属性を基に検索する第２の工程と、前記第２の工程で検索された前記面接結果を表示する第３の工程とを前記コンピュータにさらに実行させ、前記面接結果は、予め決められた複数の評価属性の各々についての点数を示し、前記求職者の各々について、当該求職者の前記面接結果の前記複数の評価属性の点数の平均を算出する第４の工程をさらに有し、前記第３の工程は、前記検索された求職者の面接結果として、採用、不採用、面接予約、２次面接及び保留を示す面接ステータス属性を表示し、前記検索された複数の求職者の名前、年齢、性別、前記面接ステータス属性を示す第１の表示欄と、前記第１の表示欄で指定された前記求職者の前記面接結果の詳細である評価シートと、ステータス更新操作ボタンとを含む第２の表示欄とを表示し、前記評価シートに、前記検索された求職者について前記第４の工程で算出された前記平均を表示する。
【００１２】
また、本発明の求人媒体管理装置は、複数の求人媒体を介して受けた求職者からの応募及び採用を求人媒体毎に管理する求人媒体管理装置であって、前記求人媒体を選択する求人媒体選択欄と、前記求人媒体選択欄で選択された求人媒体について広告金額、応募期間、現在応募件数及び現在採用件数とを含む広告管理画面を表示する表示工程を実行する。
【発明の効果】
【００１３】
本発明によれば、複数の求人広告会社を通じて求人を行う場合に、求人広告会社毎に、応募や採用の数を容易に把握できる求人媒体管理プログラムおよびその装置を提供することができる。
また、本発明によれば、複数の求人媒体毎に、求職者からの応募、面接、採用等のステージを得るまでに、どの程度の求人費用を要したかを容易に把握できる求人媒体管理プログラムおよびその装置を提供することができる。
【図面の簡単な説明】
【００１４】
【図１】図１は、本発明の実施形態に係る面接管理プログラムを実行する面接管理システムの全体構成図である。
【図２】図２は、本発明の実施形態に係る面接管理システムの概念図である。
【図３】図３は、図１に示す面接管理システムのディスプレイに表示される応募管理画面の一例である。
【図４】図４は、図１に示す面接管理システムのディスプレイに表示される広告管理画面の一例である。
【図５】図５は、図１に示す面接管理システムのディスプレイに表示される広告登録画面の一例である。
【図６】図６は、図３に示す評価シートを説明するための図である。
【図７】図７は、図１に示す面接管理サーバの機能ブロック図である。
【図８】図８は、図７に示す処理回路が面接管理プログラムＰＲＧを実行することで面接管理サーバが実行する処理を説明するためのフローチャートである。
【図９】図９は、図１に示す面接管理システムが行う面接プロセスを説明するためのフローチャートである。
【発明を実施するための形態】
【００１５】
［全体構成］
図１は、本発明の実施形態に係る面接管理プログラム（装置）を実行する面接管理システム１００の全体構成図である。
【００１６】
以下、本発明の実施形態に係る面接管理プログラムを実行する面接管理システム１００は、図１に示すごとく、求人を行う企業・店舗等に設置される求人側ＰＣ（コンピュータ）１０並びにアルバイト等に応募する応募者が使用するスマートフォン等の求職側端末１１とネットワーク１３を介して接続され、求人側からの求人情報及び求人を行う店舗・企業等の顧客情報を格納する求人情報ＤＢ（データベース）１２０と、アルバイト等の求職を行う求職者の求職情報及び求職者情報（個人情報）を格納する求職者情報ＤＢ１３０と、求人情報ＤＢ１２０及び求職者情報ＤＢ１３０を参照し、求人側の担当者と求職者との面接を行うための面接情報及び面接結果を格納する面接マッチング情報ＤＢ１４０と、求人側担当者と求職者とのオンライン面接時のオンライン動画を格納する面接録画ＤＢ１５０と、各ＤＢを参照して求人側担当者と求職者とのオンライン面接の管理を行うための面接管理サーバ１１０とを備える。
なお、求人側の機器はＰＣに限られるものではなくスマートフォン等の端末機器であっても良い。
【００１７】
また、面接管理システム１００では、面接管理システム１００の運営会社以外の求人媒体２２に求職者が求職者端末１１を使って入力した求職者情報を、一定条件の下、求人媒体２２のサーバにアクセスして自動的に取得し、所定のフォーマットに変換して職務履歴書情報として求職者情報ＤＢ１３０に記憶する。
また、面接管理システム１００では、求職側端末１１から、求人媒体２２を介して受信した応募要求を受信すると、当該応募をした求職者について、当該求職者の上記職務履歴情報に関連付けて、個人情報（求職者の氏名、連絡先、住所等）と、募集属性（人材の求人（募集）内容、例えば、営業職、事務職等）と、求人媒体と、応募及び採用の状態を示すステータス情報とを含む登録データを生成する。当該登録データは、例えば求職者情報ＤＢ１３０に登録される。
当該登録データのステータス情報は、当該求職者についての採用プロセスの進行に従って順次更新される。
【００１８】
面接管理サーバ１１０は、前述の面接管理機能に加えて、リアルタイムコミュニケーション用のＡＰＩの定義によりプラグイン無しでウェブブラウザ間のビデオチャットやファイル共有を行うことができるＷｅｂＲＴＣ（Ｗｅｂ  Ｒｅａｌ−Ｔｉｍｅ  Ｃｏｍｍｕｎｉｃａｔｉｏｎ）を用いてオンライン面接を仲介する機能を有する。
【００１９】
また、求人側ＰＣ１０並びに求職側端末１１は、音声通話機能及びＷｅｂカメラによる自己撮影機能を有し、前記ＷｅｂＲＴＣを用いて面接管理サーバ１１０を介してオンライン面接を行うように構成されている。
【００２０】
［求人情報ＤＢ１２０］
求人情報ＤＢ１２０は、複数の求人媒体に登録された求人情報を登録する。具体的には、求人側ＰＣ１０を操作する求人側担当者が入力した求人情報を格納する。
求人情報には、求人を行う企業情報と、求人広告を出した募集情報とが含まれる。
また、求人情報には、求人を出した複数の求人媒体情報が含まれる。
すなわち、面接管理システム１００では、図２に示すように、一つの求人に対して、複数の求人媒体４１１，４１２，４１３を介して応募を受ける。
【００２１】
［求職者情報ＤＢ１３０］
求職者情報ＤＢ１３０は、アルバイト等の求職側の個別の応募状況等の求職情報及び求職者の個人情報である求職者情報を格納する。
求職者情報は、個別の求職応募毎に一意に付与される求職ＩＤと、求職者毎に一意に付与される求職者ＩＤと、希望職種と、求職を希望する駅名等の希望エリアと、希望時給と、希望時刻帯と、就職を希望するアルバイト等の求人ＩＤと、応募の結果である合否と、当該求職に対する個別の希望等を入力するための希望等の項目情報を有する。
【００２２】
また、求職者情報は、求職者ＩＤと、求職者の氏名と、同性別と、同生年月日と、同メールアドレスと、同電話番号と、同住所と、自己紹介（文）等の職務履歴書情報（データ）を含む。
【００２３】
また、面接管理システム１００では、求職側端末１１から、求人媒体２２を介して受信した応募要求を受信すると、当該応募をした求職者について、当該求職者の上記職務履歴情報に関連付けて、個人情報と、募集属性と、求人媒体と、応募及び採用の状態を示すステータス情報とを含む登録データを生成する。当該登録データは、例えば求職者情報ＤＢ１３０に登録される。
当該登録データのステータス情報は、当該求職者についての採用プロセスの進行に従って順次更新される。具体的には、当該ステータス情報は、求職者について、応募、面接実施、採用及び入社の状態を示す。
【００２４】
［面接マッチング情報ＤＢ１４０］
面接マッチング情報ＤＢ１４０は、求人ＩＤ毎の面接希望者及び希望日時を格納する面接希望者テーブルと、求人ＩＤに対応した面接日時毎の求職者を格納する面接スケジュールテーブルと、求人ＩＤ及び求職者毎の面接結果及び面接終了日時を格納する面接結果情報テーブルとを格納する。
【００２５】
面接希望者テーブルは、複数の求人ＩＤに対応した複数の求職者ＩＤ及び該求職者毎の面接希望日時を格納し、例えば、求人ＩＤ「Ｑ０８０１００１」に対して複数の求職者（求職者ＩＤ）が各自の都合に合わせた時刻帯に面接を希望していることを表している。
【００２６】
面接スケジュールテーブルは、複数の求人ＩＤに対応した日付及び時間帯毎の面接を希望する求職者ＩＤを格納する。
面接結果情報テーブルは、複数の求人ＩＤに対応した面接希望者（求職者）毎の求職者ＩＤと面接結果（採用、不採用、面接予約、２次面接、保留、辞退その他）と、評価シートと、面接終了日時刻を格納する。面接結果情報は、レコーディング面接４１、Ｗｅｂ面接４３及び対面面接４５で共通である。
【００２７】
［面接録画ＤＢ１５０］
面接録画ＤＢ１５０は、求職者と店舗等の求人側担当者とが面接介在システム１００の面接管理サーバ１１０のＷｅｂＲＴＣを用いてオンライン面接を行ったとき、求人側ＰＣｌ０並びに求職側端末１１及び求職側ＰＣ１２から受信したオンライン動画データ及び音声データとを合成して面接毎に面接ＩＤを付与して記録するものである。なお、オンライン動画画像の合成とは、一方の画像（例えば、求職者の上半身画像）をメイン画像とし、このメイン画像の一部領域に他の画像（例えば、求人側担当者の上半身画像）をサブ画像として合成するものである。
【００２８】
また、本実施形態における各種ＤＢに登録する各種情報は、前述のものに限られるものではなく、運用時の必要に応じて訂正・削除・追加しても良い。
【００２９】
面接管理システム１００では、例えば、レコーディング面接（手段）、Ｗｅｂ面接（手段）及び対面面接（手段）の面接内容を面接結果として記録する。
具体的には、求職者の属性情報を求職者情報ＤＢ１３０に記録し、面接結果情報を面接マッチング情報ＤＢ１４０に記憶し、面接録画を面接録画ＤＢ１５０に記憶する。
【００３０】
例えば、Ｗｅｂ面接は、ネットワーク１３を介して、求職者端末１１と面接担当者ＰＣ１０との間で動画及び音声を送受信してリアルタイムに面接を行う。面接担当者は、面接担当者ＰＣ１０を操作して面接結果を生成する。送受信された動画及び音声は面接録画ＤＢ１５０に記録され、回答結果及び面接結果は面接マッチング情報ＤＢ１４０に記憶される。
【００３１】
［応募管理画面５１］
図３は、面接管理システム１００のディスプレイに表示される応募管理画面５１の一例である。
図３に示すように、応募管理画面５１は、例えば、上側の検索欄５３と、左側の第１の表示欄５５と、右側の第２の表示欄５７とを有する。
検索欄５３には、キーワード入力欄と、ステータス属性指定欄と、検索ボタン等が表示されている。
【００３２】
ステータス属性指定欄には、採用、不採用、面接予約、２次面接、保留のそれぞれに対応したチェックボックスが表示されている。
当該チェックボックスにチェックを入れた後に検索ボタンを指定すると、当該チェックが入ったステータス属性を持つ検索結果のみが第１の表示欄５５に表示される。
【００３３】
第１の表示欄５５には、検索結果、すなわち、レコーディング面接４１、Ｗｅｂ面接４３及び対面面接４５の面接結果を対象に検索された複数の求職者の顔写真、名前、年齢、性別、応募日、面接日、面接ステータス属性が表示される。
また、第１の表示欄５５には、評価シート内の予め決められた複数の評価属性の各々についての点数の平均が表示される。
【００３４】
第２の表示欄５７には、第１の表示欄５５で指定された求職者の面接結果の詳細である評価シート７１と、ステータス更新操作ボタン（ステータス表示欄）５２とが表示される。
その他、第２の表示欄５７には、顔写真、名前、年齢、性別、応募日、面接日、面接ステータス属性、面接動画の再生ボタン、基本情報（電話番号、住所、現在の職業、最終学歴等）が表示される。
【００３５】
面接ステータス属性が採用の場合には、ステータス更新操作ボタン５２として未出社及び退職のボタンが表示される。また、面接ステータス属性が面接予約の場合には、ステータス更新操作ボタン５２として予約キャンセル及び書類選考却下のボタンが表示される。また、面接ステータス属性が２次面接の場合には、ステータス更新操作ボタン５２として不採用のボタンが表示される。また、面接ステータス属性が保留の場合には、ステータス更新操作ボタン５２として採用及び不採用のボタンが表示される。
【００３６】
［広告管理画面７１］
図４は、面接管理システム１００のディスプレイに表示される広告管理画面７１の一例である。
面接管理システム１００は、広告管理画面７１を求人会社の端末装置のディスプレイに表示する。
図４に示すように、広告管理画面７１は、求人媒体を選択する求人媒体選択欄７３と、選択された求人媒体に関する広告成果を表示する広告成果表示欄７５とを有する。
【００３７】
広告成果表示欄７５は、求人媒体選択欄７３で選択された求人媒体について広告金額、応募期間、現在応募件数及び現在採用件数を表示する。
また、広告成果表示欄７５は、上記選択された求人媒体について、当該求人媒体を介した応募の応募単価、有効応募単価、面接設置単価、面接実施単価、採用単価、及び前記入社単価をグラフ表示する。
ここで、応募とは求人媒体を介して受けた応募数である。また、有効応募とは、予め規定した応募の条件を満たした応募である。また、面接設置とは面接予約を設定することである。面接実施とは面接予約を基に実際に面接を実施することである。採用とは採用決定をし、採用通知を求職者に送ることである。入社とは採用通知を送った求職者が実際に入社することである。
【００３８】
また、現在応募単価と現在採用単価は、グラフ表示の他に数字でも広告管理画面７１内に表示される。
【００３９】
また、広告成果表示欄７５には、期間を入力する期間入力欄があり、当該期間入力欄で指定した期間の求人情報に対応する求人媒体が求人媒体選択欄７３に表示される。
【００４０】
また、広告成果表示欄７５は、複数の求人媒体について応募単価及び採用単価を基に、基準応募単価及び基準採用単価をそれぞれ計算した場合には、基準応募単価及び基準採用単価と比較して所定の条件を満たす応募単価及び採用単価を識別可能な表示（例えば、色を他と変える）を行う。
【００４１】
［広告登録画面９１］
図５は、面接管理システム１００のディスプレイに表示される広告登録画面９１の一例である。
面接管理システム１００は、広告登録画面９１を求人会社の端末装置のディスプレイに表示する。
【００４２】
図５に示すように、広告登録画面９１には、求人媒体名入力欄、金額（広告費）入力欄、広告期間入力欄、対象募集（募集職種等）入力欄を有している。
求人会社の担当者は、広告登録画面９１上で各欄に入力を行う。
面接管理システム１００は、広告登録画面９１の各欄に入力された情報を基に、求人情報を生成し、求人情報ＤＢ１２０に登録する。
【００４３】
［評価シート８１］
図６は、図３に示す評価シート８１を説明するための図である。
図６に示すように、評価シート８１は、第１印象、コミュニケーション、表現力、考え方、印象態度、判断力のカテゴリについて、各々複数の評価属性をし、各評価属性について５段階で評価する。そして、各カテゴリ毎に平均を算出して表示すると共に、全体の平均を算出して表示する。また、カテゴリの平均をグラフ表示する。評価シート７１は、１次面接及び２次面接の各々について生成・保存すると共に、複数の面接担当者の各々について生成・保存できる。すなわち、アイコンをクリックして、面接者を追加して保存することで、簡単に面接担当者毎に新たな評価シートを生成できる。
【００４４】
面接管理システム１００は、求職者（面接予定者）に対して面接前にヒアリングシートへの入力を要求する。具体的には、面接管理システム１００は、求職者端末１１のヒアリングシートの情報を送信して表示させ、画面上で回答を入力させる。そして、面接管理システム１００は、求職者端末１１から入力した回答であるヒアリングシート（ヒアリング結果）を面接マッチング情報ＤＢ１４０に記憶する。
【００４５】
［面接管理サーバ１１０］
図７は、図１に示す面接管理サーバ１１０の機能ブロック図である。
図７に示すように、面接管理サーバ１１０は、例えば、インタフェース１２１、ディスプレイ１２２、操作部１２３、メモリ１２４及び処理回路１２５を有し、これらがバス１２０を介して接続されている。
【００４６】
インタフェース１２１は、他のコンピュータ、例えば求人側ＰＣ１０、求職側端末１１、求職側ＰＣ１２と通信を行うために用いられる。
ディスプレイ１２２は、処理回路２５が実行する面接管理プログラムＰＲＧが提供する様々な画面を表示する。
【００４７】
操作部１２３は、キーボードやマウス等の操作手段である。
メモリ１２４は、処理回路２５が実行する面接管理プログラムＰＲＧ、処理回路２５の処理に用いられるデータを一時的に記憶する。
処理回路１２５は、プログラムＰＲＧを実行して、面接管理サーバ１１０の処理を統括的に制御する。
本実施形態で示される面接管理サーバ１１０の処理は、プログラムＰＲＧに記述されている。
【００４８】
以下、面接管理システム１００の処理を説明する。当該処理は、図７に示す処理回路１２５が面接管理プログラムＰＲＧを実行することで行われる。
【００４９】
［応募から入社］
図２に示すように、  面接管理システム１００は、求人媒体２２を介して、求職側端末１１から応募要求を受信すると、当該応募をした求職者についての登録データがない場合は、当該登録データを生成し、求職者情報ＤＢ１３０に記憶する。そして、当該登録データには、求人媒体２２の情報、並びに応募及び採用等を示すステータス情報が含まれる。
その後、面接管理システム１００は、当該求職者について、面接実施、採用、入社の工程が進む度に、ステータス情報を更新する。
【００５０】
［広告管理画面７１の表示］
図８は、面接管理サーバ１１０が実行する広告管理画面７１の表示処理を説明するためのフローチャートである。
ステップＳＴ１：
図７に示す面接管理システム１００の操作部１２３を操作して図４に示す広告管理画面７１の求人媒体選択欄７３上で、求人媒体を選択する。
【００５１】
ステップＳＴ２：
処理回路１２５は、ステップＳＴ１で選択された求人媒体の登録データを求職者情報ＤＢ１３０から読み出す。
また、処理回路１２５は、当該求人媒体を介して求人をした求人情報を求人情報ＤＢ１２０から読み出す。
処理回路１２５は、読み出した求人情報に含まれる広告費（金額）を取得する。
処理回路１２５は、読みだした複数の求職者の登録データのステータス情報を基に、現時点での応募件数、有効応募件数、面接設置件数、面接実施件数、採用件数、入社件数を特定する。
【００５２】
ステップＳＴ３：
処理回路１２５は、ステップＳＴ２で読み出した広告費を、ステップＳＴ２で特定した応募件数、有効応募件数、面接設置件数、面接実施件数、採用件数、入社件数でそれぞれ除算して、応募単価、有効応募単価、面接設置単価、面接実施単価、採用単価、入社単価をそれぞれ算出する。
【００５３】
ステップＳＴ４：
処理回路１２５は、図４に示す広告管理画面７１をディスプレイ１２２に表示する。そして、処理回路１２５は、広告管理画面７１の広告成果表示欄７５に、ステップＳＴ３で計算した応募単価、有効応募単価、面接設置単価、面接実施単価、採用単価、入社単価をそれぞれグラフ表示する。
【００５４】
また、広告成果表示欄７５は、複数の求人媒体について応募単価、面接実施単価、採用単価及び入社単価を基に、基準応募単価、基準面接実施単価、基準採用単価及び基準入社単価をそれぞれ計算し、基準応募単価、基準面接実施単価、基準採用単価及び基準入社単価と比較して所定の条件を満たす応募単価、面接実施単価、採用単価及び入社単価を求人媒体２２毎に識別可能な表示（例えば、色を他と変える等）を行う。
【００５５】
［面接プロセス］
図９は、面接管理システム１００が行う面接プロセスを説明するためのフローチャートである。
ステップＳＴ１１：
面接管理サーバ１１０の処理回路１２５は、レコーディング面接、Ｗｅｂ面接及び対面面接の面接結果を入力したか否かを判断し、肯定判定の場合にステップＳＴ１２に進む。
【００５６】
ステップＳＴ１２：
処理回路１２５は、ステップＳＴ１１で入力した面接結果を求職者情報ＤＢ１３０、面接マッチング情報ＤＢ１４０及び面接録画ＤＢ１５０に記録する。このとき、処理回路１２５は、レコーディング面接、Ｗｅｂ面接及び対面面接の面接結果が、一元的に検索可能な形式で記録を行う。
【００５７】
ステップＳＴ１３：
処理回路１２５は、例えば、面接担当者ＰＣ１０における検索操作に応じた検索指示を入力したか否かを判断し、肯定判定の場合にステップＳＴ１４に進む。当該検索操作は、例えば、面接担当者ＰＣ１０のディスプレイに表示された図３に画面上で実行される。
【００５８】
ステップＳＴ１４：
処理回路１２５は、ステップＳＴ３で入力された検索指示で指定された条件に合致した検索結果を、例えば、図３に示すように画面上に表示する。
【００５９】
ステップＳＴ１５：
処理回路１２５は、例えば、ステータス更新指示が入力されたか否かを判断し、肯定判定の場合にステップＳＴ６に進む。ステータス更新指示の操作は、面接担当者ＰＣ１０のディスプレイに表示された図３の第２の表示欄５７の、ステータス更新操作ボタンを操作（例えばクリック操作）して行われる。
【００６０】
ステップＳＴ１６：
処理回路１２５は、ステップＳＴ１５で入力したステータス更新指示に応じて、面接マッチング情報ＤＢ１４０に記憶された面接結果のステータスを更新する。
【００６１】
以上説明したように、面接管理システム１００によれば、複数の求人媒体２２（求人広告会社）を通じて求人を行う場合に、求人媒体２２毎に、当該求人媒体２２を通じて応募があった求職者の現時点での応募件数、有効応募件数、面接設置件数、面接実施件数、採用件数、入社件数を図４に示すように広告管理画面７１に表示できる。
また、面接管理システム１００によれば、図４に示すように、求人媒体２２毎に、応募単価、有効応募単価、面接設置単価、面接実施単価、採用単価、入社単価をそれぞれ広告管理画面７１にグラフ表示できる。
また、広告成果表示欄７５は、基準応募単価、基準面接実施単価、基準採用単価及び基準入社単価と比較して所定の条件を満たす応募単価、面接実施単価、採用単価及び入社単価を求人媒体２２毎に識別可能な表示（例えば、色を他と変える等）を行う。
【００６２】
これにより、求人企業は、各求人媒体２２に毎に、求人に関する投資対効果を早期かつ簡単に把握でき、その後に対策を立て易い。そのため、求人成果を高めることができる。
【００６３】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００６４】
例えば、上述した実施形態では、図４に示すように、広告管理画面７１の広告成果表示欄７５において、選択された求人媒体について、当該求人媒体を介した応募の応募単価、有効応募単価、面接設置単価、面接実施単価、採用単価、及び前記入社単価をグラフ表示した場合を例示したが、これらの単価のうち一部をグラフ表示してもよい。
また、これらの単価をグラフ表示以外の表示を行ってもよい。
さらには、全求人媒体を合計した単価を算出及び表示するようにしてもよい。
【産業上の利用可能性】
【００６５】
本発明は、求人媒体管理プログラムに適用可能である。
【符号の説明】
【００６６】
１０…求人側ＰＣ
１１…求職側端末
１３…ネットワーク
５１…応募管理画面
５２…ステータス更新操作ボタン
５３…検索欄
５５…第１の表示欄
５７…第２の表示欄
７１…広告管理画面
７３…求人媒体選択欄
７５…広告成果表示欄
８１…評価シート
１１０…面接管理サーバ
１２１…インタフェース
１２２…ディスプレイ
１２３…操作部
１２４…メモリ
１２５…処理回路
【図１】
2019159580.tif 000003
【図２】
2019159580.tif 000004
【図３】
2019159580.tif 000005
【図４】
2019159580.tif 000006
【図５】
2019159580.tif 000007
【図６】
2019159580.tif 000008
【図７】
2019159580.tif 000009
【図８】
2019159580.tif 000010
【図９】
2019159580.tif 000011